(57)【要約】【課題】打撃時の撓り特性を改良することにより、打球面でボールを捕える時間（ボールと打球面の接触時間）を長くさせ、良好なコントロール性能を発現させると共に、面安定性及び、振り抜き性に優れながらもプレー時に違和感を与えない外観を具備できるラケットフレームを提供する。【解決手段】打球部４と、二股状に分岐して前記打球部４に繋がるスロート領域５を有したシャフト部６と、グリップ部７とから構成されるラケットフレームにおいて、全長Ｌが６８０ｍｍ〜７１０ｍｍ、打球部４の面積が４８５ｃｍ２以上５５０ｃｍ２未満の範囲にある時、前記シャフト部６の長さＭは、全長Ｌの０．５２Ｌ〜０．５７Ｌの範囲内にあり、且つ、前記スロート領域５の長さＭａは、前記シャフト部６の長さＭの０．０７８Ｍ〜０．２０４Ｍの範囲内に設定される。【選択図】　　　　図１
2004097303.tif 000002
【特許請求の範囲】
【請求項１】
打球部と、シャフト部と、グリップ部とから構成され、且つ前記シャフト部が二股状に分岐するスロート領域を有して成るラケットフレームにおいて、該ラケットフレームの全長Ｌが、６８０ｍｍ〜７１０ｍｍ、前記打球部の面積が４８５ｃｍ２以上５５０ｃｍ２未満の範囲にある時、前記シャフト部の長さＭが、前記全長Ｌの０．５２Ｌ〜０．５７Ｌの範囲内にあると共に、前記スロート領域の長さＭａが、前記シャフト部の長さＭの０．０７８Ｍ〜０．２０４Ｍの範囲内に設定されていることを特徴とするラケットフレーム。
【請求項２】
打球部と、シャフト部と、グリップ部とから構成され、且つ前記シャフト部が二股状に分岐するスロート領域を有して成るラケットフレームにおいて、該ラケットフレームの全長Ｌが、６８０ｍｍ〜７１０ｍｍ、前記打球部の面積が５５０ｃｍ２以上６１５ｃｍ２未満の範囲にある時、前記シャフト部の長さＭが、前記全長Ｌの０．５０Ｌ〜０．５５Ｌの範囲内にあると共に、前記スロート領域の長さＭａが、前記シャフト部の長さＭの０．０８Ｍ〜０．２１２Ｍの範囲内に設定されていることを特徴とするラケットフレーム。
【請求項３】
打球部と、シャフト部と、グリップ部とから構成され、且つ前記シャフト部が二股状に分岐するスロート領域を有して成るラケットフレームにおいて、該ラケットフレームの全長Ｌが、６８０ｍｍ〜７１０ｍｍ、前記打球部の面積が６１５ｃｍ２以上６８０ｃｍ２未満の範囲にある時、前記シャフト部の長さＭが、前記全長Ｌの０．４８Ｌ〜０．５３Ｌの範囲内にあると共に、前記スロート領域の長さＭａが、前記シャフト部の長さＭの０．０８３Ｍ〜０．２２１Ｍの範囲内に設定されていることを特徴とするラケットフレーム。
【請求項４】
打球部と、シャフト部と、グリップ部とから構成され、且つ前記シャフト部が二股状に分岐するスロート領域を有して成るラケットフレームにおいて、該ラケットフレームの全長Ｌが、６８０ｍｍ〜７１０ｍｍ、前記打球部の面積が６８０ｃｍ２以上７４５ｃｍ２未満の範囲にある時、前記シャフト部の長さＭが、前記全長Ｌの０．４６Ｌ〜０．５１Ｌの範囲内にあると共に、前記スロート領域の長さＭａが、前記シャフト部の長さＭの０．０８７Ｍ〜０．２３Ｍの範囲内に設定されていることを特徴とするラケットフレーム。
【請求項５】
打球面と直交する方向から投影した前記スロート領域の外周縁が形成する曲率半径が、３０ｍｍ〜１８０ｍｍの範囲内に設定されていることを特徴とする請求項１、２、３又は、４記載のラケットフレーム。
【発明の詳細な説明】
【０００１】
【発明の属する技術分野】
本発明は、ソフトテニス用のラケットフレームに関するものであり、特に、シャフト部に二股状に分岐するスロート領域を具備した「ダブルシャフト」構造のラケットフレームに関するものである。
【０００２】
【従来の技術】
テニス競技には使用するボールの相違に応じて、硬式とソフト（軟式とも称される）の区別があり、それぞれ使用するラケットフレームの形状寸法や質量、そして、強度、剛性等の要求品質が異なることは知られている。以下に、ソフトテニス用のラケットフレーム（以下、ラケットフレームと称する）について説明すると、図４に示すように、この種のラケットフレーム２１の全長Ｌは６８０ｍｍ〜７１０ｍｍ、ガット張設前の質量は、１７０ｇ〜２８０ｇ、グリップエンド部２２から８０ｍｍの箇所を回転軸とするスイング方向の慣性モーメントは、２３．５ｇ・ｍ２〜２９．０ｇ・ｍ２の範囲内にあるものが一般的である。
又、打球部２３の面積は、プレーヤーの技量、力量、プレースタイル等の相違により、その好適とされる面積は種々異なり、通常、初級者の間においては、打球部２３の面積が大きいラケットフレームが好まれ、技量、力量が増す程、打球部２３の面積が小さいラケットフレームが好まれる傾向にある。一般的に、技量、力量に優れたトップレベルの男子プレーヤーの間では、４８５ｃｍ２以上５５０ｃｍ２未満、トップレベルの女子プレーヤーや、中級〜上級レベルのプレーヤーの間では、５５０ｃｍ２以上６１５ｃｍ２未満、初級〜中級レベルのプレーヤーの間では、６１５ｃｍ２以上６８０ｃｍ２未満、シニア層やジュニア層の間では、６８０ｃｍ２以上７４５ｃｍ２未満の範囲内に設定されたラケットフレームが多く使用されている。
【０００３】
又、前記ラケットフレーム２１の全長Ｌ中に占める前記シャフト部２４の長さＭは、前記打球部２３の面積やグリップ部２５の長さとの関係で決定されることが多く、通常、前記打球部２３の面積が、４８５ｃｍ２以上５５０ｃｍ２未満の範囲にある時、ラケットフレーム２１の全長Ｌの０．５２Ｌ〜０．５７Ｌの長さＭを有し、前記面積が、５５０ｃｍ２以上６１５ｃｍ２未満の範囲にある時、前記全長Ｌの０．５０Ｌ〜０．５５Ｌ、前記面積が、６１５ｃｍ２以上６８０ｃｍ２未満の範囲にある時、前記全長Ｌの０．４８Ｌ〜０．５３Ｌ、前記面積が、６８０ｃｍ２以上７４５ｃｍ２未満の範囲にある時、前記全長Ｌの０．４６Ｌ〜０．５１Ｌの長さＭを有する場合が多い。
【０００４】
又従来より、前記シャフト部２４の形態としては、図５に示すように、打球部２３とグリップ部２５との間を一本形状のシャフト部２４で構成する、所謂「シングルシャフト」と称されるものと、図４に示すように、シャフト部２４に二股状に分岐するスロート領域２６を設けた、所謂「ダブルシャフト」と称されるものとがある。一般に、後者の「ダブルシャフト」構造のラケットフレームは、前者の「シングルシャフト」構造のラケットフレームに比して捩れ難く、面安定性能に優れるといった特性を有していることから、オフスポットエリアでの打撃頻度の高い初級プレーヤーのみならず、打球のスピード化及び、パワー化が進む近年においては、中上級プレーヤーのあいだでも多く使用されるに至っている。
【０００５】
通常、このような「ダブルシャフト」構造を有するラケットフレームの殆どは、シャフト部２４の大部分が前記スロート領域２６で構成されており、シャフト部２４の長さＭに対する前記スロート領域２６の長さＭａの割合が高い。具体的には、ラケットフレーム２１の打球部２３の面積が、４８５ｃｍ２以上５５０ｃｍ２未満の範囲にある時、シャフト部２４の長さＭの０．２４５Ｍ〜０．３１３Ｍの長さＭａを有し、又、前記面積が、５５０ｃｍ２以上６１５ｃｍ２未満の範囲にある時、前記長さＭの０．２５４Ｍ〜０．３２５Ｍ、前記面積が、６１５ｃｍ２以上６８０ｃｍ２未満の範囲にある時、前記長さＭの０．２６４Ｍ〜０．３３８Ｍ、前記面積が、６８０ｃｍ２以上７４５ｃｍ２未満の範囲にある時、前記長さＭの０．２７４Ｍ〜０．３５２Ｍの長さＭａを有するものが殆どである。
【０００６】
ところで、このような「ダブルシャフト」構造を有するラケットフレーム２１は、良好な面安定性能が得られる反面、撓りが少ないことから、打撃時にボールを打球面２７で捕える時間（ボールと打球面２７の接触時間）が短く、ボレー以外の通常のストロークやサービス、スマッシュなどにおいて、打球をコントロールし難いという問題があると共に、打球感が硬く、良好なフィーリングが得られ難い傾向にある。
【０００７】
そのため、この種のラケットフレーム２１においては、例えば、ラケットフレーム２１を構成する外殻の肉厚を全体的に或いは、部分的に薄く構成したり、補強繊維の種類や弾性率或いは、配向角度等の仕様を種々設計するなどしてある程度撓りを持たせるように設計されているが、ラケットフレームとして必要な設計強度を確保しなければならないという制約の中で十分に満足のできる撓りを発現させることが難しいという問題があった。
【０００８】
従来、ラケットフレームの撓りを改善する提案として、例えば、特許文献１では、図６に示すように、ラケット全長Ｌを７１０〜８１２ｍｍの長尺としたテニスラケット３１において、前記ラケット全長Ｌに対するシャフト部３２の長さＭの割合を小さく設計し、従来のラケットフレームよりも前記全長Ｌに占めるシャフト部３２の長さＭを短く構成することによって、良好な撓りを発現せしめるように構成されたテニスラケット３１が提案され公知となっている。
【０００９】
【特許文献１】
特許第２８６６０２０号公報
【００１０】
【発明が解決しようとする課題】
このようにラケット全長Ｌに対する前記シャフト部３２の長さＭ（ダブルシャフト構造のテニスラケット３１の場合は、二股状に分岐するスロート領域３３を含む長さ）の割合を小さく設定するものにあっては、前記割合を得るために、打球部３４とグリップ部３５の長さを長く構成することが必要となり、打球部３４はより一層大型化し、グリップ部３５は長尺化する傾向にある。
しかし、このように前記打球部３４が大型化すると、必然的にラケットフレーム自体の質量や、慣性モーメント及び、スイング時における風圧面積が増大してしまうことから振り抜き性が悪くなるという問題があり、スピードのあるプレーに対応し難くなるものと予測される。又、前記問題に鑑みて、ある程度打球部３４の大型化を抑制すると、その分グリップ部３５を長尺化しなければならず、この場合、グリップ部３５が長くなり過ぎて、使用時に違和感が生じるという問題があった。
【００１１】
又、この種のテニスラケット３１では、ラケット全長Ｌを長尺としているため、ラケットの回転中心（プレーヤーの手により把持されるグリップ部３５）からスイートスポットまでの距離が長くなることから、打撃時にスイートスポットでボールを捕えるミート率が低下し、却って、良好な打撃を行える頻度が少なくなる傾向にある。特に近年のソフトテニス競技にあっては、ルール改正により「前衛」、「後衛」といった極端に固定した役割分担がなくなり、前衛はサービスやネット前へ出る為のベースライン付近での確実なストロークも必要となり、後衛は通常のストロークの他、ベースラインからやや前方でのローボレーや高い打点でのトップ打ち等も機敏、且つ正確に行わねばならず、このような長尺としたテニスラケット３１は実際のプレーにおいては扱い難く、安定した打撃を行うことが難しい傾向にある。
【００１２】
そこで本発明者らはこのような問題点に鑑み、ラケットフレームの全長Ｌ及び、該全長Ｌに対するシャフト部の長さＭの割合を、従来の一般的なラケットフレームと略同様な適性範囲内に制限させながらも、打撃時に良好な撓りを発現できるラケットフレームを得るための手段を鋭意研究した。そして、種々の実験研究を行なった結果、ボール打撃時におけるラケットフレームの撓りの挙動を考察すると、図７に示すように、ボール３６を打撃した際、ラケットフレーム２１は、グリップエンド部２２からシャフト部２４を構成するスロート領域２６の二股状に分岐する分岐点２８位置までの区間Ｓ１は曲げ剛性が高いため殆ど撓らず、該分岐点２８位置を起点（キックポイント）として、該分岐点２８位置から打球部２３の先端部までの区間Ｓ２が折れ曲がるような撓り挙動を呈する。従来のラケットフレームにおいては、シャフト部２４の大部分が前記スロート領域２６で構成されているため、前記分岐点２８位置がグリップ部２５の近傍にあり、該分岐点２８位置を起点として撓る区間Ｓ２が長い。その結果、打撃時に前記区間Ｓ２が撓ることによって得られる傾斜角（撓り角θ）が小さくなるため、打球面２７でボール３６を捕える時間（ボール３６と打球面２７の接触時間）が短くなるということが判明した。そこで、前記分岐点２８位置を打球部２３側に移行させ、該分岐点２８を起点として撓る区間Ｓ２を短く構成する、即ち、シャフト部２４の長さＭに占めるスロート領域２６の長さＭａの割合を小さく構成するようにすれば、前記区間Ｓ２の撓り角θが大きくなり、打球面２７でボール３６を捕える時間（ボール３６と打球面２７の接触時間）を長くすることができるということを見出した。しかし、前記シャフト部２４の長さＭに占めるスロート領域２６の長さＭａの割合を小さくし過ぎると、却って打球部２３が捩れ易くなり、安定した打撃を行うことができなくなるため、前記スロート領域２６の長さＭａは、ある適正範囲内に制限することが必要であるということも判明した。
【００１３】
そこで、本発明は、このような従来の問題点に鑑み、打撃時の撓り特性を改良することにより、打球面でボールを捕える時間（ボールと打球面の接触時間）を長くさせ、良好なコントロール性能を発現させると共に、面安定性及び、振り抜き性に優れながらもプレー時に違和感を与えない外観を具備できるラケットフレームを提供することを目的とするものである。
【００１４】
【課題を解決するための手段】
上記目的を達成するために、本発明のラケットフレームは以下のような構成とした。
即ち、本発明の請求項１に係るラケットフレームは、打球部と、シャフト部と、グリップ部とから構成され、且つ前記シャフト部が二股状に分岐するスロート領域を有して成るラケットフレームにおいて、該ラケットフレームの全長Ｌが、６８０ｍｍ〜７１０ｍｍ、前記打球部の面積が４８５ｃｍ２以上５５０ｃｍ２未満の範囲にある時、前記シャフト部の長さＭが、前記全長Ｌの０．５２Ｌ〜０．５７Ｌの範囲内にあると共に、前記スロート領域の長さＭａが、前記シャフト部の長さＭの０．０７８Ｍ〜０．２０４Ｍの範囲内に設定されていることを特徴とするものである。
【００１５】
又、請求項２に係るラケットフレームは、打球部と、シャフト部と、グリップ部とから構成され、且つ前記シャフト部が二股状に分岐するスロート領域を有して成るラケットフレームにおいて、該ラケットフレームの全長Ｌが、６８０ｍｍ〜７１０ｍｍ、前記打球部の面積が５５０ｃｍ２以上６１５ｃｍ２未満の範囲にある時、前記シャフト部の長さＭが、前記全長Ｌの０．５０Ｌ〜０．５５Ｌの範囲内にあると共に、前記スロート領域の長さＭａが、前記シャフト部の長さＭの０．０８Ｍ〜０．２１２Ｍの範囲内に設定されていることを特徴とするものである。
【００１６】
請求項３に係るラケットフレームは、打球部と、シャフト部と、グリップ部とから構成され、且つ前記シャフト部が二股状に分岐するスロート領域を有して成るラケットフレームにおいて、該ラケットフレームの全長Ｌが、６８０ｍｍ〜７１０ｍｍ、前記打球部の面積が６１５ｃｍ２以上６８０ｃｍ２未満の範囲にある時、前記シャフト部の長さＭが、前記全長Ｌの０．４８Ｌ〜０．５３Ｌの範囲内にあると共に、前記スロート領域の長さＭａが、前記シャフト部の長さＭの０．０８３Ｍ〜０．２２１Ｍの範囲内に設定されていることを特徴とするものである。
【００１７】
請求項４に係るラケットフレームは、打球部と、シャフト部と、グリップ部とから構成され、且つ前記シャフト部が二股状に分岐するスロート領域を有して成るラケットフレームにおいて、該ラケットフレームの全長Ｌが、６８０ｍｍ〜７１０ｍｍ、前記打球部の面積が６８０ｃｍ２以上７４５ｃｍ２未満の範囲にある時、前記シャフト部の長さＭが、前記全長Ｌの０．４６Ｌ〜０．５１Ｌの範囲内にあると共に、前記スロート領域の長さＭａが、前記シャフト部の長さＭの０．０８７Ｍ〜０．２３Ｍの範囲内に設定されていることを特徴とするものである。
【００１８】
請求項５は、前記請求項１、２、３又は、４に係るラケットフレームであって、打球面と直交する方向から投影した前記スロート領域の外周縁が形成する曲率半径が、３０ｍｍ〜１８０ｍｍの範囲内に設定されていることを特徴とするものである。
【００１９】
【発明の実施の形態】
以下に、図面と共に詳記する好適な実施例により本発明を説明する。
本実施例のラケットフレーム１は、図１に示すように、ガット２が張設されて打球面３が形成される打球部４と、二股状に分岐して前記打球部４に繋がるスロート領域５を有したシャフト部６と、グリップ部７とから構成されている。
【００２０】
前記ラケットフレーム１の全長Ｌ及び、前記シャフト部６の長さＭは、従来の一般的なラケットフレームと略同様の寸法を成すもので、全長Ｌが６８０ｍｍ〜７１０ｍｍ、前記シャフト部６の長さＭが、前記全長Ｌの０．４６Ｌ〜０．５７Ｌの範囲内に設定されている。
そして、本実施例のラケットフレーム１では、前記シャフト部６を構成するスロート領域５の長さＭａを短く構成し、従来のラケットフレームよりも前記シャフト部６の長さＭに占める前記スロート領域５の長さＭａの割合を小さく設計している。
【００２１】
即ち、本実施例において設定する前記シャフト部６の長さＭ及び、スロート領域５の長さＭａは、前述したようにラケットフレーム１を構成する打球部４の面積の相違によりその好適な長さは種々相違するものであり、各打球部４の面積毎にその好適な長さを説明すると、打球部４の面積が４８５ｃｍ２以上５５０ｃｍ２未満の範囲にある時、前記シャフト部６の長さＭは、ラケットフレーム１の全長Ｌの０．５２Ｌ〜０．５７Ｌの範囲内にあり、且つ、前記スロート領域５の長さＭａは、前記シャフト部６の長さＭの０．０７８Ｍ〜０．２０４Ｍの範囲内（とりわけ、０．１５５Ｍ〜０．１９９Ｍ）に設定されることが好ましく、又、前記打球部４の面積が５５０ｃｍ２以上６１５ｃｍ２未満の範囲にある時、前記シャフト部６の長さＭは、ラケットフレーム１の全長Ｌの０．５０Ｌ〜０．５５Ｌの範囲内にあり、前記スロート領域５の長さＭａは、前記シャフト部６の長さＭの０．０８Ｍ〜０．２１２Ｍの範囲内（とりわけ、０．１６１Ｍ〜０．２０７Ｍ）、前記打球部４の面積が６１５ｃｍ２以上６８０ｃｍ２未満の範囲にある時、前記シャフト部６の長さＭは、ラケットフレーム１の全長Ｌの０．４８Ｌ〜０．５３Ｌの範囲内にあり、前記スロート領域５の長さＭａは、前記シャフト部６の長さＭの０．０８３Ｍ〜０．２２１Ｍの範囲内（とりわけ、０．１６７Ｍ〜０．２１５Ｍ）、前記打球部４の面積が６８０ｃｍ２以上７４５ｃｍ２未満の範囲にある時、前記シャフト部６の長さＭは、ラケットフレーム１の全長Ｌの０．４６Ｌ〜０．５１Ｌの範囲内にあり、前記スロート領域５の長さＭａは、前記シャフト部６の長さＭの０．０８７Ｍ〜０．２３Ｍの範囲内（とりわけ、０．１７３Ｍ〜０．２２４Ｍ）に設定されることが好ましい。
【００２２】
尚、本実施例で示す前記シャフト部６の長さＭとは、該シャフト部６を構成するスロート領域５が打球部４と接する境界端部８からグリップ部７の上端部９までの長さを言い、又、前記スロート領域５の長さＭａとは、前記境界端部８から、二股状に分岐するスロート領域５の分岐点１０位置までの長さを言う。
【００２３】
このような本実施例のラケットフレーム１においては、ラケットフレーム１の全長Ｌ及び、シャフト部６の長さＭを、従来の一般的なラケットフレームと略同様の寸法としていることから、振り抜き性が悪くなるようなことがなく、又、使用時に違和感を抱く問題もない。更に、ラケットの回転中心（プレーヤーの手により把持されるグリップ部）からスイートスポットまでの距離が変わらないため、打撃時にスイートスポットでボールを捕えるミート率が低下するようなことがない。従って、スピードのある実際のプレーにおいて扱い易く、安定した打撃を行うことが可能となる。
【００２４】
又、本実施例では、従来のラケットフレームよりも前記シャフト部６の長さＭに占める前記スロート領域５の長さＭａの割合を小さく設計しているため、図２に示すように、前記スロート領域５の二股状に分岐する分岐点１０位置が打球部４側に移行し、ボール打撃時に該分岐点１０位置を起点として撓る区間Ｓ２の長さが短く構成される。この結果、打撃時に撓る前記区間Ｓ２の撓り角θを大きくすることができるため、打球面３でボール１１を捕える時間（ボール１１と打球面３の接触時間）を長くすることができ、打撃時に良好なコントロール性能及び、打球感を得ることができる。
【００２５】
本実施例において、前記スロート領域５の長さＭａの上限値を上記のように、打球部４の面積が４８５ｃｍ２以上５５０ｃｍ２未満の場合で０．２０４Ｍ、５５０ｃｍ２以上６１５ｃｍ２未満の場合で０．２１２Ｍ、６１５ｃｍ２以上６８０ｃｍ２未満の場合で０．２２１Ｍ、６８０ｃｍ２以上７４５ｃｍ２未満の場合で０．２３Ｍに設定したのは、これ以上大きいと、打撃時に良好な撓り角θの発現が得られず、打球面３でボール１１を捕える時間（ボール１１と打球面３の接触時間）が短くなって、打球をコントロールし難くなってしまうからである。又、下限値を上記のように、打球部４の面積が４８５ｃｍ２以上５５０ｃｍ２未満の場合で０．０７８Ｍ、５５０ｃｍ２以上６１５ｃｍ２未満の場合で０．０８Ｍ、６１５ｃｍ２以上６８０ｃｍ２未満の場合で０．０８３Ｍ、６８０ｃｍ２以上７４５ｃｍ２未満の場合で０．０８７Ｍに設定したのは、これよりも小さいと、打球部４が捩れ易くなり、安定した打撃を行うことができなくなるからである。
【００２６】
尚、本実施例のラケットフレーム１においては、上記のような構成に加え、図３に示すように、打球面３と直交する方向から投影した前記スロート領域５の外周縁１２が形成する曲率半径Ｒを、従来の一般的なラケットフレームよりも小さい、３０ｍｍ〜１８０ｍｍの範囲内に設定している。このように、前記スロート領域５の曲率半径Ｒを小さく設計すると、該スロート領域５の柔軟性が増し、打撃時に良好な撓りが得られソフトな打球感が発現できる。前記スロート領域５の曲率半径Ｒは、前記スロート領域５の長さＭａを上記の範囲内に設定した場合における適性範囲であり、前記曲率半径Ｒの上限値を１８０ｍｍに設定したのは、これ以上大きいと、スロート領域５の柔軟性が乏しくなり、打撃時の打球感が硬くなるからである。又、下限値を３０ｍｍに設定したのは、これよりも小さいと、打撃時に打球部４が捩れ易くなり、安定した打球を行うことが難しくなるからである。
【００２７】
本発明のラケットフレームは、繊維強化樹脂材料或いは、軽金属材料等から構成されることが好ましく、中でもとりわけ繊維強化樹脂材料から構成されることが好ましい。
このような繊維強化樹脂製のラケットフレームを製造するには、例えば、内圧成形用のチューブの周囲に、ラケットフレーム成形用の複数のプリプレグシートを積層し、これを金型のフレーム形状としたキャビティ内に配置した後に、前記チューブ内に圧縮空気等を注入し加熱するといった繊維強化樹脂製ラケットフレームの通常の製造法によって行うことができる。
【００２８】
又、繊維強化樹脂製のラケットフレームを構成する主たる補強繊維としては、炭素繊維、ガラス繊維、ボロン繊維、芳香族ポリアミド繊維等種々のものが使用できるが、強度や剛性、質量、コストの面からも炭素繊維が好適である。又、マトリックス樹脂としては、エポキシ樹脂、ナイロン樹脂等が使用できるが、強度、耐久性の点でエポキシ樹脂が好適である。
【００２９】
更に、前記ラケットフレームのガット張設前の質量は、１７０ｇ〜２８０ｇとすることが好ましく、中でもとりわけ中上級者向けのラケットフレームの場合では２４５ｇ〜２８０ｇ、初級者或いは、非力なプレーヤー向けのラケットフレームの場合では１７０ｇ〜２３０ｇとすることがより好ましい。
又、振り抜き性を考慮して、前記ラケットフレーム１のグリップエンド部１３から８０ｍｍの箇所を回転軸とするスイング方向の慣性モーメントは、中上級者向けのラケットフレームの場合では２６．５ｇ・ｍ２〜２９．０ｇ・ｍ２、初級者或いは、非力なプレーヤー向けのラケットフレームの場合では２３．５ｇ・ｍ２〜２６．０ｇ・ｍ２とすることが好ましい。
【００３０】
【実施例】
本発明の効果を確認するために、以下の表１に示すような実施態様１〜４及び、比較例１〜８のラケットフレームを用意した。
【００３１】
【表１】
2004097303.tif 000003
【００３２】
これらのラケットフレームについて、実打試験を行なった。この実打試験では、多数の中上級プレーヤーを対象にして、実際に、実施態様１〜４及び、比較例１〜８のラケットフレームを用いて実戦に則した試合形式の打撃練習を行い、その際、プレーヤーが体感したコントロール性、面安定性、打球感等の評価を行った。この時の結果を以下の表２に示す。
【００３３】
【表２】
2004097303.tif 000004
【００３４】
このような試験結果より、本発明に係る実施態様１〜４のラケットフレームは、比較例１〜８にラケットフレームに比し、打撃時のコントロール性、面安定性、打球感等の各特性において何れも優れた効果が得られるものであることが確認できた。
【００３５】
【発明の効果】
以上のように、本発明では、ラケットフレームの全長Ｌ及び、シャフト部の長さＭを、従来の一般的なラケットフレームと略同様の寸法としていることから、振り抜き性が悪くなるようなことがなく、又、使用時に違和感を抱く問題もない。更に、ラケットの回転中心（プレーヤーの手により把持されるグリップ部）からスイートスポットまでの距離が変わらないため、打撃時にスイートスポットでボールを捕えるミート率が低下するようなことがないことから、スピードのある実際のプレーにおいて扱い易く、安定した打撃を行うことができる。
【００３６】
又、本発明では、従来のラケットフレームよりも前記シャフト部の長さＭに占める前記スロート領域の長さＭａの割合を小さく設計しているため、前記スロート領域の二股状に分岐する分岐点位置が打球部側に移行し、ボール打撃時に該分岐点位置を起点として撓る区間の長さが短く構成される。この結果、打撃時に撓る前記区間の撓り角を大きくすることができるため、打球面でボールを捕える時間（ボールと打球面の接触時間）を長くすることができ、打撃時に良好なコントロール性能及び、打球感を得ることができる。
【００３７】
更に、打球面と直交する方向から投影した前記スロート領域の外周縁が形成する曲率半径を、従来の一般的なラケットフレームよりも小さい、３０ｍｍ〜１８０ｍｍの範囲内に設定することで、打撃時の打球感をより一層ソフトにできる。
【図面の簡単な説明】
【図１】本実施例のラケットフレームの正面図。
【図２】本実施例のラケットフレームの撓り挙動を表す説明図。
【図３】本実施例のラケットフレームのスロート領域を表す拡大説明図。
【図４】従来のラケットフレームの正面図。
【図５】従来のラケットフレームの正面図。
【図６】従来のラケットフレームの正面図。
【図７】従来のラケットフレームの撓り挙動を表す説明図。
【符号の説明】
１　ラケットフレーム
２　ガット
３　打球面
４　打球部
５　スロート領域
６　シャフト部
７　グリップ部
８　境界端部
９　上端部
１０　分岐点
１１　ボール
１２　外周縁
１３　グリップエンド部
２１　ラケットフレーム
２２　グリップエンド部
２３　打球部
２４　シャフト部
２５　グリップ部
２６　スロート領域
２７　打球面
２８　分岐点
３１　テニスラケット
３２　シャフト部
３３　スロート領域
３４　打球部
３５　グリップ部
３６　ボール
【図１】
2004097303.tif 000005
【図２】
2004097303.tif 000006
【図３】
2004097303.tif 000007
【図４】
2004097303.tif 000008
【図５】
2004097303.tif 000009
【図６】
2004097303.tif 000010
【図７】
2004097303.tif 000011